(57)【要約】      （修正有）【課題】仰臥位の人の両脚を容易に立てた状態に容易に保つことができる下肢保持具を提供する。【解決手段】下肢保持具１は、第一方向に沿って延びる第一保持部１０と、第一方向に交差する第二方向に沿い、第一保持部１０の一端部から片側に延出した第二保持部２０と、を備え、第一保持部１０の外周面１１は、人用のベッドの上面に接する第一接触面１３と、仰臥位にてベッドに支持される人の両脚の足裏に接し、両脚の膝を曲げた状態に保つ第一支持面１４とを有し、第二保持部２０の外周面２１は、ベッドの上面に接する第二接触面２３と、人の片脚の側部に接し、人の両脚を立てた状態に保つ第二支持面２４とを有する。【選択図】図１
2019180537.tif 000002
【特許請求の範囲】
【請求項１】
第一方向に沿って延びる第一保持部と、
前記第一方向に交差する第二方向に沿い、前記第一保持部の一端部から片側に延出した第二保持部と、を備え、
前記第一保持部の外周面は、
人用のベッドの上面に接する第一接触面と、
仰臥位にて前記ベッドに支持される人の両脚の足裏に接し、前記両脚の膝を曲げた状態に保つ第一支持面とを有し、
前記第二保持部の外周面は、
前記ベッドの上面に接する第二接触面と、
前記人の片脚の側部に接し、前記人の両脚を立てた状態に保つ第二支持面とを有する、下肢保持具。
【請求項２】
前記第一支持面は、前記第一接触面に平行な面を基準にして、前記第二保持部の延出方向側に傾いている、請求項１記載の下肢保持具。
【請求項３】
前記第一方向に直交する方向における前記第一接触面の幅は、前記第一接触面を底面とする場合の前記第一保持部の高さよりも大きい、請求項１又は２記載の下肢保持具。
【請求項４】
前記第一接触面に対する前記第二接触面の延出長さは、前記第二接触面に対する前記第一接触面の延出長さよりも長い、請求項１〜３のいずれか一項記載の下肢保持具。
【請求項５】
前記第二接触面を底面とする場合の前記第二保持部の高さは、前記第一接触面を底面とする場合の前記第一保持部の高さよりも高い、請求項１〜４のいずれか一項記載の下肢保持具。
【請求項６】
前記第二接触面を底面とする場合の前記第二保持部の高さは、前記第一保持部に近付くのに応じて徐々に低くなっている、請求項５記載の下肢保持具。
【請求項７】
前記第二方向に直交する方向における前記第二接触面の幅は、前記第一方向に直交する方向における前記第一接触面の幅よりも小さい、請求項１〜６のいずれか一項記載の下肢保持具。
【請求項８】
前記第一接触面は、前記第一保持部の外周面のうち前記第一接触面を除く部分に比較して、前記ベッドの上面に対して滑り難い材質で形成され、
前記第二接触面は、前記第二保持部の外周面のうち前記第二接触面を除く部分に比較して、前記ベッドの上面に対して滑り難い材質で形成されている、請求項１〜７のいずれか一項記載の下肢保持具。
【請求項９】
前記第一保持部及び前記第二保持部はクッション性を有する、請求項１〜８のいずれか一項記載の下肢保持具。
【請求項１０】
クッション性を有し、前記第一保持部及び前記第二保持部の内部を構成する本体と、
前記本体を覆って前記第一保持部の外周面及び前記第二保持部の外周面を構成するカバーとを備え、
前記カバーは、前記本体を出し入れするための開口と、前記開口を開閉するためのファスナーとを有する、請求項９記載の下肢保持具。
【請求項１１】
前記本体は、コア部と、前記コア部を覆う緩衝部とを有し、前記コア部の剛性は前記緩衝部の剛性より高い、請求項１０記載の下肢保持具。
【請求項１２】
前記第一保持部の外周面は、前記第一接触面と前記第一支持面との間に介在する第一背面を更に有し、
前記開口は、前記第一接触面と前記第一背面との境界の少なくとも一部に沿って形成されている、請求項１０又は１１記載の下肢保持具。
【請求項１３】
前記第二保持部の外周面は、前記第二接触面と前記第二支持面との間に介在する第二背面を更に有し、
前記開口は、前記第二接触面と前記第二背面との境界の少なくとも一部に沿って形成されている、請求項１０〜１２のいずれか一項記載の下肢保持具。
【発明の詳細な説明】
【技術分野】
【０００１】
本開示は、下肢保持具に関する。
【背景技術】
【０００２】
特許文献１には、大腸内視鏡検査の際に、仰臥位となった受検者の下腿を支える大腸内視鏡検査用下腿載置台が開示されている。この下腿載置台は、ベース部と、受検者の下腿を下方から支持する下腿載置部と、下腿載置部をベース部に対して移動可能に支持する支持部とを具備している。支持部は下腿載置部の中心から外れており、下腿載置部は、大腸内視鏡を挿入する際に側臥位となった受検者の肛門からの大腸内視鏡の挿入の邪魔にならない位置である退避位置と、仰臥位となった受検者の下腿を下方から支える検査位置との間で移動可能になっている。
【先行技術文献】
【特許文献】
【０００３】
【特許文献１】国際公開第２０１４／１８８５８５号
【発明の概要】
【発明が解決しようとする課題】
【０００４】
本開示は、仰臥位の人の両脚を立てた状態に容易に保つことができる下肢保持具を提供することを目的とする。
【課題を解決するための手段】
【０００５】
本開示の一側面に係る下肢保持具は、第一方向に沿って延びる第一保持部と、第一方向に交差する第二方向に沿い、第一保持部の一端部から片側に延出した第二保持部と、を備え、第一保持部の外周面は、人用のベッドの上面に接する第一接触面と、仰臥位にてベッドに支持される人の両脚の足裏に接し、両脚の膝を曲げた状態に保つ第一支持面とを有し、第二保持部の外周面は、ベッドの上面に接する第二接触面と、人の片脚の側部に接し、人の両脚を立てた状態に保つ第二支持面とを有する。
【０００６】
第一支持面は、第一接触面に平行な面を基準にして、第二保持部の延出方向側に傾いていてもよい。第一方向に直交する方向における第一接触面の幅は、第一接触面を底面とする場合の第一保持部の高さよりも大きくてもよい。第一接触面に対する第二接触面の延出長さは、第二接触面に対する第一接触面の延出長さよりも長くてもよい。第二接触面を底面とする場合の第二保持部の高さは、第一接触面を底面とする場合の第一保持部の高さよりも高くてもよい。第二接触面を底面とする場合の第二保持部の高さは、第一保持部に近付くのに応じて徐々に低くなっていてもよい。第二方向に直交する方向における第二接触面の幅は、第一方向に直交する方向における第一接触面の幅よりも小さくてもよい。
【０００７】
第一接触面は、第一保持部の外周面のうち第一接触面を除く部分に比較して、ベッドの上面に対して滑り難い材質で形成され、第二接触面は、第二保持部の外周面のうち第二接触面を除く部分に比較して、ベッドの上面に対して滑り難い材質で形成されていてもよい。
【０００８】
第一保持部及び第二保持部はクッション性を有していてもよい。下肢保持具は、クッション性を有し、第一保持部及び第二保持部の内部を構成する本体と、本体を覆って第一保持部の外周面及び第二保持部の外周面を構成するカバーとを備え、カバーは、本体を出し入れするための開口と、開口を開閉するためのファスナーとを有していてもよい。本体は、コア部と、コア部を覆う緩衝部とを有し、コア部の剛性は緩衝部の剛性より高くてもよい。第一保持部の外周面は、第一接触面と第一支持面との間に介在する第一背面を更に有し、開口は、第一接触面と第一背面との境界の少なくとも一部に沿って形成されていてもよい。第二保持部の外周面は、第二接触面と第二支持面との間に介在する第二背面を更に有し、開口は、第二接触面と第二背面との境界の少なくとも一部に沿って形成されていてもよい。
【発明の効果】
【０００９】
本開示によれば、仰臥位の人の両脚を立てた状態に容易に保つことができる。
【図面の簡単な説明】
【００１０】
【図１】下肢保持具の斜視図である。
【図２】下肢保持具の他の視点からの斜視図である。
【図３】下肢保持具の使用状態の一例をベッドの側方から示す模式図である。
【図４】下肢保持具の使用状態の一例をベッドの上方から示す模式図である。
【図５】下肢保持具の使用状態の一例をベッドの足側から示す模式図である。
【図６】図１中のＶＩ−ＶＩ線に沿う断面図である。
【図７】図１中のＶＩＩ−ＶＩＩ線に沿う断面図である。
【図８】大腸内視鏡検査への適用例をベッドの上方から示す模式図である。
【発明を実施するための形態】
【００１１】
以下、実施形態について、図面を参照しつつ詳細に説明する。説明において、同一要素又は同一機能を有する要素には同一の符号を付し、重複する説明を省略する。
【００１２】
本実施形態に係る下肢保持具１は、仰臥位の人の両脚の大腿部を立てた状態に保つための保持具である。例えば下肢保持具１は、仰臥位の受検者の両脚の大腿部を立てた状態に保つための検査補助具として利用可能である。より具体的に、下肢保持具１は、大腸内視鏡検査等の内視鏡検査用の補助具として利用可能である。
【００１３】
図１及び図２に示すように、下肢保持具１は、第一保持部１０と第二保持部２０とを有する。第一保持部１０は、直状の仮想軸線ＶＬ１（第一方向）に沿って延びた外形を有する。第二保持部２０は、仮想軸線ＶＬ１に交差（例えば直交）する直状の仮想軸線ＶＬ２（第二方向）に沿い、第一保持部１０の一端部から片側に延出している。換言すると、第一保持部１０が、第二保持部２０の一端部から片側に延出している。以下、仮想軸線ＶＬ１及び仮想軸線ＶＬ２の両方を含む平面を「基準面Ｐ１」という。第一保持部１０の両端部のうち、第二保持部２０側の端部を「基端部」といい、第二保持部２０の逆側の端部を「先端部」という。第二保持部２０の両端部のうち、第一保持部１０側の端部を「基端部」といい、第一保持部１０の逆側の端部を「先端部」という。
【００１４】
第一保持部１０は、仮想軸線ＶＬ１を囲む外周面１１と、先端部側の端面１２とを有する。外周面１１は、その周方向に並ぶ第一接触面１３、第一支持面１４及び第一背面１５を有する。第一接触面１３は基準面Ｐ１に平行である。第一支持面１４は、第一接触面１３のうち第二保持部２０の延出方向Ｄ２１（第一保持部１０から第二保持部２０が延出する方向）側の縁につながっている。第一背面１５は、第一接触面１３のうち延出方向Ｄ２１の逆側の縁につながっており、第一接触面１３と第一支持面１４との間に介在している。第一支持面１４は、基準面Ｐ１を基準にして第二保持部２０の延出方向Ｄ２１側に傾いている。第一背面１５は、基準面Ｐ１を基準にして延出方向Ｄ２１の逆側に傾いている。すなわち第一保持部１０は、第一接触面１３側へ向かうにつれて幅が大きくなる末広がりの外形を有する。
【００１５】
第一支持面１４及び第一背面１５は、いずれも外周側に緩やかに膨らんでいる。このため、基準面Ｐ１を基準とした第一支持面１４及び第一背面１５の傾斜角は、測定部位によって異なる。基準面Ｐ１を基準とした第一支持面１４の傾斜角の平均値（部位ごとの傾斜角を平均した値）は、例えば３５〜５５°であり、４０〜５０°であってもよい。基準面Ｐ１を基準とした第一背面１５の傾斜角の平均値も、例えば３５〜５５°であり、４０〜５０°であってもよい。
【００１６】
仮想軸線ＶＬ１に直交する方向における第一接触面１３の幅Ｗ１は、第一接触面１３を底面とする場合の第一保持部１０の高さＨ１よりも大きい。例えば幅Ｗ１は、１５０〜４５０ｍｍであり、２００〜４００ｍｍであってもよく、２５０〜３５０ｍｍであってもよい。高さＨ１は、５０〜２５０ｍｍであり、１００〜２００ｍｍであってもよい。
【００１７】
第二保持部２０は、仮想軸線ＶＬ２を囲む外周面２１と、先端部側の端面２２とを有する。外周面２１は、その周方向に並ぶ第二接触面２３、第二支持面２４及び第二背面２５を有する。第二接触面２３は基準面Ｐ１に平行であり、第一接触面１３につながっている。第一保持部１０の第一接触面１３に対する第二保持部２０の第二接触面２３の延出長さＬ２は、第二接触面２３に対する第一接触面１３の延出長さＬ１よりも長い。例えば延出長さＬ１は、２５０〜５００ｍｍであり、３００〜４５０ｍｍであってもよく、３００〜４００ｍｍであってもよい。延出長さＬ２は、３５０〜６００ｍｍであり、４００〜５５０ｍｍであってもよく、４００〜５００ｍｍであってもよい。
【００１８】
第二支持面２４は、第二接触面２３のうち第一保持部１０の延出方向Ｄ１１（第二保持部２０から第一保持部１０が延出する方向）側の縁につながっている。第二背面２５は、第二接触面２３のうち延出方向Ｄ１１の逆側の縁につながっており、第二接触面２３と第二支持面２４との間に介在している。第二支持面２４及び第二背面２５は、いずれも外周側に膨らんでいる。第二保持部２０の基端部において、第二支持面２４は第一支持面１４につながっており、第二背面２５は第一背面１５につながっている。
【００１９】
仮想軸線ＶＬ２に直交する方向における第二接触面２３の幅Ｗ２は、仮想軸線ＶＬ１に直交する方向における第一接触面１３の幅Ｗ１よりも小さい。例えば幅Ｗ２は、５０〜２５０ｍｍであり、１００〜２００ｍｍであってもよい。第二接触面２３を底面とする場合の第二保持部２０の高さＨ２は、第一接触面１３を底面とする場合の前記第一保持部の高さＨ１よりも高い。高さＨ２は、第一保持部１０に近付くのに応じて徐々に低くなっている。このように、高さＨ２の高さが部位ごとに異なる場合、高さＨ２が高さＨ１よりも高いとは、高さＨ２の最大値が高さＨ１の最大値よりも大きいことを意味する。高さＨ２の最大値は、例えば１５０〜４５０ｍｍであり、２００〜４００ｍｍであってもよく、２００〜３００ｍｍであってもよい。高さＨ２が最大となる頂部Ｔ２は、第二保持部２０の先端部側に位置しており、第二保持部２０の基端部側における高さＨ２は高さＨ１と同等になっている。
【００２０】
ここで、図示においては、第一接触面１３を下に向け、第一保持部１０の延出方向Ｄ１１（端面１２に対向する視点）から見た場合に、第二保持部２０は第一保持部１０から左方に延出する。換言すると、第二接触面２３を下に向け、延出方向Ｄ２１（端面２２に対向する視点）から見た場合に、第一保持部１０は第二保持部２０から右方に延出する。この関係は逆転していてもよい。すなわち、第一接触面１３を下に向けて延出方向Ｄ１１から見た場合に、第二保持部２０は第一保持部１０から右方に延出していてもよい。第二接触面２３を下に向けて延出方向Ｄ２１から見た場合に、第一保持部１０は第二保持部２０から左方に延出していてもよい。
【００２１】
図３〜図５に示すように、下肢保持具１は、第一接触面１３及び第二接触面２３が受検者８０用（人用）のベッド９１の上面に接するように配置される。なお、ベッド９１の上面に接するとは、必ずしも第一接触面１３及び第二接触面２３の全域がベッド９１の上面に接することを意味するものではなく、第一接触面１３及び第二接触面２３の一部がベッド９１の上面に接することも含む。図示においては、第二保持部２０の延出方向Ｄ２１が受検者８０の足側から頭側に向かい、第一保持部１０の延出方向Ｄ１１が受検者８０の左側から右側に向かうように配置されている。
【００２２】
第一支持面１４は、仰臥位にてベッド９１に支持される受検者８０の両脚８１Ａ，８１Ｂの足裏８２に接し、両脚８１Ａ，８１Ｂの膝８３を曲げた状態に保つ。第二支持面２４は、の片脚８１Ａの側部に接し、受検者８０の両脚８１Ａ，８１Ｂを立てた状態に保つ。具体的に、第二支持面２４は、第二保持部２０側に傾く両脚８１Ａ，８１Ｂを、片脚８１Ａ（例えば左脚）の側部（例えば左側部）に接して支え、両脚８１Ａ，８１Ｂの大腿８４及び脛８５を立てた状態に保つ。
【００２３】
図５に示すように、下肢保持具１は、第一保持部１０の基端部側をベッド９１の柵９２に寄せるように配置されてもよい。この場合、第二保持部２０が柵９２により補強され、両脚８１Ａ，８１Ｂをよりしっかりと支持することができる。
【００２４】
なお、第一接触面１３は、外周面１１のうち第一接触面１３を除く部分（すなわち第一支持面１４及び第一背面１５）に比較して、ベッド９１の上面に対して滑り難い材質で形成されていてもよい。第二接触面２３は、外周面２１のうち第二接触面２３を除く部分（すなわち第二支持面２４及び第二背面２５）に比較して、ベッド９１の上面に対して滑り難い材質で形成されていてもよい。例えば第一支持面１４、第一背面１５、第二支持面２４及び第二背面２５が第一の樹脂素材により形成され、第一接触面１３及び第二接触面２３が第一の樹脂素材に比較して滑りにくい第二の樹脂素材により形成されていてもよい。
【００２５】
また、第一接触面１３及び第二接触面２３の表面粗さ（凹凸の程度）が、第一支持面１４、第一背面１５、第二支持面２４及び第二背面２５の表面粗さよりも大きくなっていてもよい。換言すると、第一支持面１４、第一背面１５、第二支持面２４及び第二背面２５の平滑性が、第一接触面１３及び第二接触面２３の平滑性よりも高くなっていてもよい。
【００２６】
第一保持部１０及び第二保持部２０はクッション性を有してもよい。ここでのクッション性とは、実使用環境にて目視で確認できる程度に潰れる柔軟性を意味する。例えば図６及び図７に示すように、下肢保持具１は、クッション性を有する本体３０と、本体３０を覆うカバー４０とを備える。本体３０は、第一保持部１０及び第二保持部２０の内部を構成する。例えば本体３０は、スポンジ状の発泡樹脂素材により構成されている。本体３０は、コア部３１と、コア部３１を覆う緩衝部３２とを有する。コア部３１の剛性は緩衝部３２の剛性よりも高い。ここでの剛性は、変形し難さ（すなわち変形させるのに必要な力の大きさ）を意味する。緩衝部３２の反発性はコア部３１の反発性よりも高い。ここでの反発性は、負荷が除去された後の復元の速さ（すなわち粘性の低さ）を意味する。
【００２７】
カバー４０は、本体３０を覆い、第一保持部１０の外周面１１及び端面１２と、第二保持部２０の外周面２１及び端面２２とを構成する。カバー４０は、第一接触面１３及び第二接触面２３を構成する下カバー４２と、端面１２、第一支持面１４、第一背面１５、端面２２、第二支持面２４及び第二背面２５を構成する上カバー４１とを含む。上カバー４１及び下カバー４２は互いに異なる素材で形成されている。例えば上カバー４１は上記第一の樹脂素材により形成され、下カバー４２は上記第二の樹脂素材により形成されている。上カバー４１及び下カバー４２は互いに接合されている。カバー４０は、本体３０を出し入れするための開口４３と、開口４３を開閉するためのファスナー４４とを有する。
【００２８】
図６に示すように、開口４３は、第一接触面１３と第一背面１５との境界の少なくとも一部に沿って形成されていてもよい。すなわち開口４３は、第二保持部２０の逆側における上カバー４１と下カバー４２との境界の少なくとも一部に沿って形成されていてもよい。
【００２９】
図７に示すように、開口４３は、第二接触面２３と第二背面２５との境界の少なくとも一部に沿って形成されていてもよい。すなわち開口４３は、第一保持部１０の逆側における上カバー４１と下カバー４２との境界の少なくとも一部に沿って形成されていてもよい。
【００３０】
開口４３は、第一接触面１３と第一背面１５との境界の少なくとも一部、及び第二接触面２３と第二背面２５との境界の少なくとも一部の両方に亘って形成されていてもよい。一例として、図２は、第一接触面１３と第一背面１５との境界の全域、及び第二接触面２３と第二背面２５との境界の一部に亘って開口４３及びファスナー４４が形成されている場合を示している。
【００３１】
〔本実施形態の効果〕
以上に説明したように、下肢保持具１は、第一方向に沿って延びる第一保持部１０と、第一方向に交差する第二方向に沿い、第一保持部１０の一端部から片側に延出した第二保持部２０と、を備え、第一保持部１０の外周面１１は、人用のベッド９１の上面に接する第一接触面１３と、仰臥位にてベッド９１に支持される人の両脚８１Ａ，８１Ｂの足裏８２に接し、両脚８１Ａ，８１Ｂの膝８３を曲げた状態に保つ第一支持面１４とを有し、第二保持部２０の外周面２１は、ベッドの上面に接する第二接触面２３と、人の片脚の側部に接し、人の両脚を立てた状態に保つ第二支持面２４とを有する。
【００３２】
この下肢保持具１によれば、仰臥位の人の膝を曲げさせて両脚８１Ａ，８１Ｂの足裏８２を第一支持面１４に掛け、両脚８１Ａ，８１Ｂを第二支持面２４にもたせかけることで、両脚８１Ａ，８１Ｂを大きく持ち上げることなく容易に立てることができる。また、第一支持面１４に対する両脚８１Ａ，８１Ｂの足裏８２からの反力の少なくとも一部は、第一接触面１３をベッド９１に押し付けるように作用する。更に、第二支持面２４に対する両脚８１Ａ，８１Ｂからの反力の少なくとも一部は、第二接触面２３をベッド９１に押し付けるように作用する。このため、第一接触面１３及び第二接触面２３の両方がベッド９１に対して滑り難くなり、ベッド９１における第一保持部１０及び第二保持部２０の位置が保たれるので、両脚８１Ａ，８１Ｂを立てた状態を容易に保つことができる。従って、本下肢保持具１は、例えば仰臥位にて両脚を立てた状態に保つことを必要とする検査等に有用である。
【００３３】
また、上述のように、両脚８１Ａ，８１Ｂを立てる際に両脚を大きく持ち上げる必要がないので、下肢保持具１は、仰臥位の人自身及び介助者の負担軽減に有用である。鎮静剤の投与などにより仰臥位の人が自力で体位を調節できない場合には、介助者の負担軽減に特に有用である。更に、第一保持部１０の一端部に設けられた第二保持部２０によって両脚８１Ａ，８１Ｂを支持するので、第一保持部１０の他端部側を術者に開放することができる。例えば、図２〜図５に示した構成によれば、受検者８０の右側に位置する第一保持部１０の先端部側が術者９３に開放される。このため、仰臥位の人に対して術者が側方に位置する検査等に特に有用である。この下肢保持具１が有用となる検査等の具体例としては、大腸内視鏡検査が挙げられる。
【００３４】
図８に示すように、大腸内視鏡検査においては、大腸内視鏡９４を受検者８０の肛門から挿入するために、受検者８０の両脚８１Ａ，８１Ｂを立てた状態に保つ必要がある。このため、受検者８０の両脚８１Ａ，８１Ｂを立てた状態に保持する下肢保持具１の機能が有用である。大腸内視鏡検査の術者９３は、一般に受検者８０の右側方に位置する。このため、図２〜５に示した構成のように、第一保持部１０における受検者８０の右側が術者９３に開放されることが有用である。また、大腸内視鏡検査においては、受検者８０の体位を途中で変換する場合が少なくない。特に、左側臥位から仰臥位への体位変換の頻度が高い。このため、受検者８０の体位を仰臥位にした後に、両脚８１Ａ，８１Ｂを立てる作業が必要となる。このため、両脚８１Ａ，８１Ｂを容易に立てられることが、受検者８０及び介助者の負担軽減に有用である。更に、大腸内視鏡検査においては受検者８０に鎮静剤が投与される場合がある。この場合、両脚８１Ａ，８１Ｂを容易に立てられることが、介助者の負担軽減に特に有用である。
【００３５】
第一支持面１４は、第一接触面１３に平行な面を基準にして、第二保持部２０の延出方向Ｄ２１側に傾いていてもよい。この場合、第一支持面１４が第一接触面１３に平行である場合に比較して、足裏８２をしっかりと支持することができる。また、第一支持面１４が第一接触面１３に垂直である場合に比較して、足裏８２からの反力をベッド９１側に効率よく伝えることができる。これにより、第一接触面１３がベッド９１に対して更に滑り難くなるので、足裏８２をよりしっかりと支持することができる。更に、第一支持面１４が第一接触面１３に垂直である場合に比較して、仰臥位の人の足首の曲がりを緩やかにし、仰臥位の人の負担を軽減することもできる。
【００３６】
第一方向に直交する方向における第一接触面１３の幅Ｗ１は、第一接触面１３を底面とする場合の第一保持部１０の高さＨ１よりも大きくてもよい。この場合、第一接触面１３がベッド９１に対して更に滑り難くなるので、両脚８１Ａ，８１Ｂをよりしっかりと立てた状態に保つことができる。
【００３７】
第一接触面１３に対する第二接触面２３の延出長さＬ２は、第二接触面２３に対する第一接触面１３の延出長さＬ１よりも長くてもよい。この場合、仰臥位の人の脚長又は膝の曲がり具合等のばらつきに幅広く適応し、第二支持面２４をしっかりと片脚の側部に接触させることができる。
【００３８】
第二接触面２３を底面とする場合の第二保持部２０の高さＨ２は、第一接触面１３を底面とする場合の第一保持部１０の高さＨ１よりも高くてもよい。この場合、第二支持面２４と片脚との接触位置を高くすることで、第二支持面２４と片脚との間に作用する力を軽減し、仰臥位の人の快適性を向上させることができる。
【００３９】
第二接触面２３を底面とする場合の第二保持部２０の高さは、第一保持部１０に近付くのに応じて徐々に低くなっていてもよい。この場合、第二保持部２０側から仰臥位の人への介助を行う際の作業性が向上する。
【００４０】
第二方向に直交する方向における第二接触面２３の幅Ｗ２は、第一方向に直交する方向における第一接触面１３の幅Ｗ１よりも小さくてもよい。この場合、ベッド９１の幅に対する第二保持部２０の占有領域を小さくし、仰臥位の人を支持するためのスペースを広くすることができる。
【００４１】
第一接触面１３は、第一保持部１０の外周面１１のうち第一接触面１３を除く部分に比較して、ベッド９１の上面に対して滑り難い材質で形成され、第二接触面２３は、第二保持部２０の外周面２１のうち第二接触面２３を除く部分に比較して、ベッド９１の上面に対して滑り難い材質で形成されていてもよい。この場合、第一接触面１３及び第二接触面２３がベッド９１に対して更に滑り難くなるので、両脚８１Ａ，８１Ｂを立てた状態をよりしっかりと保つことができる。
【００４２】
第一保持部１０及び第二保持部２０はクッション性を有していてもよい。この場合、第一支持面１４と足裏８２との間に作用する接触圧力、及び第二支持面２４と片脚の側部との間に作用する接触圧力が緩和されるので、仰臥位の人の快適性が更に向上する。
【００４３】
下肢保持具１は、クッション性を有し、第一保持部１０及び第二保持部２０の内部を構成する本体３０と、本体３０を覆って第一保持部１０の外周面１１及び第二保持部２０の外周面２１を構成するカバー４０とを備え、カバー４０は、本体を出し入れするための開口４３と、開口４３を開閉するためのファスナー４４とを有していてもよい。この場合、カバー４０の交換により、清潔な状態を容易に維持することができる。
【００４４】
本体３０は、コア部３１と、コア部３１を覆う緩衝部３２とを有し、コア部３１の剛性は緩衝部３２の剛性より高くてもよい。この場合、下肢の保持性能を維持しつつ、仰臥位の人の快適性を向上させることができる。
【００４５】
第一保持部１０の外周面１１は、第一接触面１３と第一支持面１４との間に介在する第一背面１５を更に有し、開口４３は、第一接触面１３と第一背面１５との境界の少なくとも一部に沿って形成されていてもよい。この場合、開口４３は、仰臥位の人の逆側に位置することとなるので、清潔な状態を更に容易に維持することができる。
【００４６】
第二保持部２０の外周面２１は、第二接触面２３と第二支持面２４との間に介在する第二背面を更に有し、開口４３は、第二接触面２３と第二背面２５との境界の少なくとも一部に沿って形成されていてもよい。この場合も、開口４３は、仰臥位の人の逆側に位置することとなるので、清潔な状態を更に容易に維持することができる。開口４３が、第一接触面１３と第一背面１５との境界の少なくとも一部と、第二接触面２３と第二背面２５との境界の少なくとも一部との両方に沿って形成される場合には、開口４３を大きくして本体の出し入れを更に容易にすることができる。
【００４７】
以上、実施形態について説明したが、本発明は必ずしも上述した形態に限定されるものではなく、その要旨を逸脱しない範囲で様々な変形が可能である。例えば、下肢保持具１の適用対象は大腸内視鏡検査に限られない。仰臥位の人の両脚８１Ａ，８１Ｂを立てた状態に保つことを必要とする他の様々な用途（例えば小腸内視鏡検査）に適用可能である。
【符号の説明】
【００４８】
１…下肢保持具、１０…第一保持部、１１…第一保持部１０の外周面、１３…第一接触面、１４…第一支持面、１５…第一背面、２０…第二保持部、２１…第二保持部２０の外周面、２３…第二接触面、２４…第二支持面、２５…第二背面、３０…本体、３１…コア部、３２…緩衝部、４０…カバー、４３…開口、４４…ファスナー、８０…受検者（人）、８１Ａ，８１Ｂ…両脚、８２…足裏、８３…膝、９１…ベッド、Ｄ２１…第二保持部２０の延出方向、Ｈ１…第一保持部１０の高さ、Ｈ２…第二保持部２０の高さ、Ｌ１…第二接触面２３に対する第一接触面１３の延出長さ、Ｌ２…第一接触面１３に対する第二接触面２３の延出長さ、Ｗ１…第一接触面１３の幅、Ｗ２…第二接触面２３の幅。
【図１】
2019180537.tif 000003
【図２】
2019180537.tif 000004
【図３】
2019180537.tif 000005
【図４】
2019180537.tif 000006
【図５】
2019180537.tif 000007
【図６】
2019180537.tif 000008
【図７】
2019180537.tif 000009
【図８】
2019180537.tif 000010